(57)【要約】【課題】多数のカメラや大口径のレンズを使用することなく、多数の筒状部品を同時に検査できるようにする。【解決手段】検査対象である通気部材１８を縦横５列ずつのマトリクス状に並べる。コーナに配置された４つの通気部材１８と向かい合う位置のそれぞれにカメラ１２を準備する。４つのカメラ１２は、互いに死角を補完し合うことによって、通気部材１８との相対位置関係を変化させなくても、並べられた全ての通気部材１８の内側底面１８ｐ全体を画像に収めることができる位置に設置されている。通気部材１８が配置されている領域を撮像し、４つのカメラ１２から取得した４つの画像を処理することにより、全ての通気部材１８について、それらの内側底面１８ｐに欠陥が生じているかどうかを判定する。【選択図】図１
2008008868.tif 000002
【特許請求の範囲】
【請求項１】
底部と開口部とを有する筒状部品の検査方法であって、
前記開口部が同じ方向を向くように複数の前記筒状部品を所定配列で並べる工程と、
複数のカメラで死角を補完し合うことによって、前記筒状部品と前記カメラとの相対位置関係を変化させなくても、並べられた全ての前記筒状部品の内側底面全体を画像に収めることができるように、前記筒状部品よりも少数の前記カメラを前記開口部と向かい合う位置に準備する工程と、
前記筒状部品が配置されている領域を前記カメラで撮像する工程と、
前記カメラから取得した画像を処理し、全ての前記筒状部品について、それらの内側底面に欠陥が生じているかどうかを判定する工程と、
を含む、筒状部品の検査方法。
【請求項２】
前記筒状部品をｎ×ｍ（ｎ，ｍはともに３以上の整数）のマトリクス状に並べ、
コーナーに配置された４つの前記筒状部品と向かい合う位置のそれぞれに前記カメラを準備する、請求項１記載の筒状部品の検査方法。
【請求項３】
レンズの中心が前記カメラの露光面の中心から、前記筒状部品の配置領域の中央方向にずれて位置するように、前記カメラとそのカメラに使用する前記レンズとの位置関係を調整する、請求項２記載の筒状部品の検査方法。
【請求項４】
前記筒状部品と前記カメラとの相対位置関係を維持しつつ、予め定めた時間スケジュールで前記カメラによる撮像を行い、
直近の過去に取得した前記画像と現在取得した前記画像との差分画像に基づいて、前記内側底面に欠陥が生じているかどうかを判定する、請求項１ないし請求項３のいずれか１項に記載の筒状部品の検査方法。
【請求項５】
前記筒状部品は、両端に開口部を有する筒状の本体と、前記本体に取り付けられて前記内側底面を形成する通気膜とを含む通気部材であり、
検査治具に装着された前記通気部材の前記通気膜に外部から水を接触させた状態で前記カメラによる撮像を行い、前記内側底面に水漏れが生じるかどうかを判定する、請求項１ないし請求項４のいずれか１項に記載の筒状部品の検査方法。
【請求項６】
両端に開口部を有する筒状の本体と、前記本体に取り付けられて底面を形成する通気膜とを含む通気部材を製造する工程と、
前記通気部材を検査対象の前記筒状部品として、請求項１ないし請求項５のいずれか１項に記載の方法によって検査する工程と、
前記検査の結果に基づいて前記通気部材を良品と不良品とに選別する工程と、
を含む、通気部材の製造方法。
【発明の詳細な説明】
【技術分野】
【０００１】
本発明は、カップや缶のような筒状部品を複数個並べて同時に検査する方法に関する。また、その方法を用いた検査工程を含む、通気部材の製造方法に関する。
【背景技術】
【０００２】
筒状部品を検査する方法として、例えば、下記特許文献１，２に開示されている方法が知られている。
【０００３】
図１１に示すように、筒状部品９０の検査は、通常、１つの筒状部品９０に対して１台のカメラ９２を使用する。筒状部品９０の内側底面を真上からカメラ９２で撮像し、得られた画像を処理して良否を判定する。複数の筒状部品９０をこの方法で同時に検査しようとすると、部品数と同数のカメラが必要となる。しかしながら、部品数と同数のカメラを使用することは、コストやスペースの問題から非現実的である。
【０００４】
複数の筒状部品を１台のカメラで同時に撮像する方法としては、図１２に示すように、画角０度のテレセントリックレンズ９４を使用する方法が挙げられる。確かに、テレセントリックレンズ９４を使用すれば複数の部品を１台のカメラ９２で同時に撮像可能であるが、部品が配置されている領域すべてを視野とすることができる大口径のレンズは非常に高価である。また、テレセントリックレンズ９４を使用すると、部品が少し傾いただけで直ちに死角を生じ、良否を正確に判定できない可能性がある。
【特許文献１】特開平１０−０８５５３６号公報
【特許文献２】特許第３０９１２６８号公報
【発明の開示】
【発明が解決しようとする課題】
【０００５】
上記のような問題に鑑み、本発明は、多数のカメラや大口径のレンズを使用することなく、多数の筒状部品を同時に検査できる、筒状部品の検査方法を提供する。また、その方法を用いた検査工程を含む、通気部材の製造方法を提供する。
【課題を解決するための手段】
【０００６】
すなわち、本発明は、
底部と開口部とを有する筒状部品の検査方法であって、
開口部が同じ方向を向くように複数の筒状部品を所定配列で並べる工程と、
複数のカメラで死角を補完し合うことによって、筒状部品とカメラとの相対位置関係を変化させなくても、並べられた全ての筒状部品の内側底面全体を画像に収める（いずれかのカメラの視野に収める）ことができるように、筒状部品よりも少数のカメラを開口部と向かい合う位置に準備する工程と、
筒状部品が配置されている領域をカメラで撮像する工程と、
カメラから取得した画像を処理し、全ての筒状部品について、それらの内側底面に欠陥が生じているかどうかを判定する工程と、
を含む、筒状部品の検査方法を提供する。
【０００７】
他の側面において、本発明は、
両端に開口部を有する筒状の本体と、その本体に取り付けられて底面を形成する通気膜とを含む通気部材を製造する工程と、
通気部材を検査対象の筒状部品として、上記方法によって検査する工程と、
検査の結果に基づいて通気部材を良品と不良品とに選別する工程と、
を含む、通気部材の製造方法を提供する。
【発明の効果】
【０００８】
上記検査方法においては、いくつかのカメラを用いて複数の筒状部品を一括して撮像し、得られた画像から筒状部品の内側底面に欠陥が生じているかどうかを判定する。複数の筒状部品の内側底面を１台のカメラで撮像しようとしても、テレセントリックレンズを使用しない限り、全ての筒状部品の内側底面全体を画像に収めることはできない。これに対し、本発明にかかる検査方法によれば、あるカメラの死角となる領域を別のカメラで補うことができるので、筒状部品の数よりも少ない台数のカメラを用いて撮像を行う場合であっても、死角（見えない領域）を作ることなく検査することが可能となる。したがって、検査に使用する装置の大型化や複雑化を招くことなく、処理能力を向上させることができる。
【０００９】
例えば、ある１つの筒状部品に着目すると、第１カメラから得られた第１画像に内側底面の一部領域が写り、第１カメラの隣に配置された第２カメラから得られた第２画像に残部が写るという形になる。ただし、真上にカメラがある場合には、そのカメラから得られる１つの画像に内側底面全体が写ることになる。さらに、本発明にかかる検査方法によれば、筒状部品が傾いて治具等に固定されている場合であっても、あるカメラによって撮像される領域は小さくなるが、別のカメラによって撮像される領域が大きくなるので、画像に収めることができない領域は、よほどのことがない限り生じない。
【００１０】
また、本発明にかかる検査方法は、カメラとの相対位置関係を変化させながら順番に検査を行っていくことが難しい検査対象の場合に特に有効である。例えば、自動車のＥＣＵボックスやヘッドライトハウジングに取り付けられる通気部材（図２Ａ，２Ｂ参照）は、通気作用をもたらす多孔質膜の水漏れ検査を出荷前に実施する。その水漏れ検査は、多孔質膜によって形成された外側底面に水圧をかけたときに、同じく多孔質膜によって形成された内側底面に水漏れが生ずるかどうかを調べる検査とされる。このような水漏れ検査を流れ作業で行うことは困難であり、通気部材の１つ１つを専用の検査治具に固定した状態で行うことを要する。そのため、検査工程に費やされる時間が長くなりがちである。こうした検査工程に本発明にかかる方法を適用すれば、生産設備の大型化や複雑化を伴うことなく、検査工程に費やされる時間を大幅に短縮でき、ひいては生産性を高めることができる。
【発明を実施するための最良の形態】
【００１１】
以下、添付の図面を参照しつつ本発明の実施形態を説明する。
【００１２】
図１は、本発明にかかる検査方法の概要を示す模式図である。検査対象である筒状部品の一例は、自動車のＥＣＵボックスやヘッドライトハウジングに取り付けられる通気部材１８である。図２Ａに示すごとく、通気部材１８は、両端に開口部を有する筒状の本体２０と、その本体２０の一端に取り付けられて内側底面１８ｐを形成する通気膜２２とを含む。通気膜２２が取り付けられた通気部材１８は、一端に通気膜２２からなる底部を有し、他端の開口部から内側底面１８ｐを視認可能である。
【００１３】
通気部材１８の本体２０は、例えばゴム弾性を有する樹脂からなる円筒部品である。通気膜２２は、液体（例えば水）の通過を禁止し、気体の通過を許容する機能を持った樹脂多孔質膜であり、熱溶着により、または接着剤を用いて本体２０に固定されている。通気膜２２が本体２０にしっかり取り付けられているかどうか、言い換えれば、通気膜２２に水圧をかけても本体２０内に水が入り込まないかどうかを画像処理によって検査する。
【００１４】
まず、図１に示すように、通気膜２２が取り付けられていない側の開口部が上を向くように、複数の通気部材１８をｎ×ｍ（ｎ，ｍはともに３以上の整数）のマトリクス状に並べる。本実施形態では、２５個の通気部材１８の水漏れ検査を一度に行うために、縦横５列の配置を採用している。
【００１５】
通気膜２２に水圧をかけながらカメラ１２による撮像を行うために、図３に示すような検査治具１６を使用することができる。検査治具１６は、水を収容することが可能なチャンバ１６ｈが内部に形成され、通気部材１８を装着するための開口部１６１と、チャンバ１６ｈに水を注入するための注水口１６２とがチャンバ１６ｈの上下に設けられている。図１では検査治具１６の記載を省略している。また、検査治具１６は、図３に示す構造を縦横５列ずつ備えている。すなわち、一括検査を行うべき通気部材１８の数（本実施形態では２５個）に等しい数だけ上記構造を備えている。
【００１６】
図３に示すごとく、通気部材１８は、通気膜２２がチャンバ１６ｈ内に露出し、反対側の開口部がチャンバ１６ｈ外に露出するように、検査治具１６の開口部１６１に装着される。開口部１６１には、検査治具１６と通気部材１８との隙間を埋めるシールリング１６３が配置されており、チャンバ１６ｈ内の水が隙間から漏れてこないようになっている。通気部材１８を開口部１６１に装着したのち、注水口１６２からチャンバ１６ｈに水を注入することにより、通気部材１８の通気膜２２に適切な水圧がかかる仕組みである。通気膜２２が損傷していたり、本体２０への接着が不十分だったりする場合には、水が内側に漏れてくるので、その漏れをカメラ１２でとらえる。
【００１７】
水漏れの有無の判定材料となる画像は、図１に示すごとく、４台のカメラ１２から取得することができる。通気部材１８が配置された領域を撮像する４台のカメラ１２は、例えば２次元ＣＣＤを撮像素子として備えたものであり、コーナーに配置された４つの通気部材１８と向かい合う位置のそれぞれに準備される。具体的には、コーナーに配置された通気部材１８の真上にカメラ１２を１台ずつ設置する。このようにすれば、カメラ１２の使用台数を最小限に抑えながらも、全ての通気部材１８の内側底面１８ｐ全体を画像に収めることが可能となる。
【００１８】
図４に示すごとく、通気部材１８の内側底面１８ｐの最大幅がＷ１、その内側底面１８ｐから開口端１８ｒまでの高さがＨ１であるとき、画角θが下記（式１）を満足するレンズ１４がカメラ１２に使用されている。本実施形態では、円筒形の通気部材１８が検査対象なので、通気部材１８の内側底面１８ｐの最大幅Ｗ１は、内側底面１８ｐの直径または本体２０（図２Ａ）の通気膜２２側の開口径に等しい。平面視で方形状の内側底面の場合には、最大幅Ｗ１は対角線の長さとなる。
（Ｗ１／２）／Ｈ１＞ｔａｎ（θ／２）・・・（式１）
【００１９】
画角が大きくするということは、カメラ１２の中心から離れたところにある通気部材１８の死角が大きくなることを意味する。本発明においては、複数台（４台）のカメラ１２を用いることで全ての視野をカバーできるとしているが、画角が大きすぎると１台のカメラ１２の死角を他のカメラで補うことが難しくなる。したがって、必須というわけではないが、上記（式１）のごとく、通気部材１８の底面と高さとの関係によって決まる角度より小さい画角を持つレンズ１４を使用することが推奨される。
【００２０】
４台のカメラ１２は、通気部材１８が配置されている領域全体を視野にとらえ、かつ通気部材１８との相対位置関係を変化させなくても、並べられた全ての通気部材１８の内側底面１８ｐ全体を画像に収めることができる位置に設置されている。レンズ１４の焦点距離とカメラ１２の露光面の大きさによって定まる画角θ、カメラ１２から通気部材１８の内側底面１８ｐまでの距離、通気部材１８が配置されている領域の広さ、通気部材１８の大きさ等の様々な要因により、個々のカメラ１２は、真下にあるもの以外の通気部材１８の内側底面１８ｐ全体を画像に収めることができない。しかしながら、４台のカメラ１２が協力する（お互いの死角を補完し合う）ことによって、それらカメラ１２と通気部材１８との相対位置関係を変化させることなく、並べられた全ての通気部材１８の内側底面１８ｐ全体を画像に収めることが可能となる。このようにすれば、カメラ１２と通気部材１８との相対位置関係を変化させるための機構が不要、または大幅に簡略化することができるため、低コストにも関わらずスループット（処理能力）の高い検査装置を提供することが可能となる。
【００２１】
図５Ａは、通気部材の配置とカメラの視野との関係を示す模式図である。左端の通気部材１８ａの内側底面は、真上に設置された第１カメラ１２ａによって全体が撮像される。同様に、右端の通気部材１８ｅの内側底面は、第２カメラ１２ｂによって撮像される。カメラから通気部材までの距離や画角などの条件を調整することにより、第２カメラ１２ｂで左端の通気部材１８ａの内側底面の一部を撮像する、あるいは第１カメラ１２ａで右端の通気部材１８ｅの内側底面の一部を撮像することが可能である。例えば、図５Ｂに示すごとく、第１カメラ１２ａの視野１３の１／４の領域に、通気部材１８の配置されている領域全体が収まるようにするとよい。
【００２２】
次に、外から２番目の通気部材１８ｂ，１８ｄの内側底面については、第１カメラ１２ａと第２カメラ１２ｂとが分担して撮像する。すなわち、第１カメラ１２ａの死角となる領域を第２カメラ１２ｂが撮像し、第２カメラ１２ｂの死角となる領域を第１カメラ１２ａが撮像する。第１カメラ１２ａが撮像する領域と第２カメラ１２ｂが撮像する領域とが重複しており、いずれのカメラ１２ａ，１２ｂにも撮像されない領域が存在しない。同様に、中央の通気部材１８ｃの内側底面１８ｐは、第１カメラ１２ａと第２カメラ１２ｂが分担して撮像する。例えば、図１に示すマトリクスの中央に位置する通気部材１８については、４台のカメラ１２により死角のない撮像が可能となる。
【００２３】
図１２で説明したテレセントリックレンズ９４を使用すると、通気部材１８が少しでも傾くと死角ができ、画像に収めることができない領域が生じてしまう。これに対し、本実施形態の方法によれば、通気部材１８が規定姿勢から多少傾いたとしても、ある１台のカメラ１２の死角を他のカメラ１２で補うことができるので、内側底面全体を確実に画像に収めることができる。
【００２４】
また、図６Ａに示すごとく、レンズ１４の中心とカメラ１２の露光面の中心（方形状の撮像素子の対角線の交点）とが高さ方向で一致するように、レンズ１４をカメラ１２の真下に配置してもよいが、このような配置によると、カメラの視野の１／４しか検査に使用することができず、３／４は無効な視野となってしまう。
【００２５】
そこで、図６Ｂに示すごとく、レンズ１４の中心がカメラ１２の露光面（結像範囲）の中心から、通気部材１８の配置領域の中央方向にずれて位置するように、カメラ１２とそのカメラ１２に使用するレンズ１４との位置関係を調整するとよい。このように、レンズ１４を所定量シフトさせることで、カメラ１２の露光面全体を有効利用できるようになる。レンズ１４のシフト量は、例えば、カメラ１２に用いられている撮像素子の対角線の長さの１／２とすることができる。
【００２６】
次に、検査工程の詳細な流れを説明する。まず、図７に示すのは、図１に示す検査で使用する検査装置の構成を示すブロック図である。検査装置１００は、通気部材１８の内側底面１８ｐを撮像する４台のカメラ１２と、それら４台のカメラ１２から画像を取得する画像処理モジュール３０と、画像処理モジュール３０から転送されてくる画像を解析して水漏れの有無を判定する解析用コンピュータ３２と、解析用コンピュータ３２の判定結果を出力する表示部としてのモニタ３４とを含む。解析用コンピュータ３２は、検査治具１６（図３参照）に注水を行うためのポンプ３６のコントローラも兼ねている。
【００２７】
図８は、解析用コンピュータで実行される検査プログラムのフローチャートである。この検査プログラムが起動すると、まず、検査治具１６のチャンバ１６ｈに注水が行なわれる（ステップＳ１）。これにより、通気部材１８の通気膜２２に所定の水圧がかかる。通気膜２２に水圧がかかった状態は一定時間保たれる。その間に水漏れがないかをステップＳ２以下の処理でチェックする。
【００２８】
注水が完了したら、４台のカメラ１２に撮像指令を与える。それら４台のカメラ１２によって撮像された４つの画像は、画像処理モジュール３０のメモリに格納される。解析用コンピュータ３２は、画像処理モジュール３０のメモリに格納された４つの画像を第１組（ｎ＝１）の画像として取得し、自身のメインメモリに格納する（ステップＳ２）。次に、予め定めた所定時間（例えば数秒）待機するとともに、組番号ｎを計測するカウンタをインクリメントする（ステップＳ３，Ｓ４）。
【００２９】
所定時間Ｔｎ待機したのち、第２組（ｎ＝２）の画像を、第１組の画像と同様の手順で取得する（ステップＳ５）。このように、通気部材１８とカメラ１２との相対位置関係を維持しつつ、予め定めた時間スケジュールでカメラ１２による通気部材１８の撮像を行う。待機時間Ｔｎは、一定であってもよいし、画像の組ごとに異なっていてもよい。
【００３０】
次に、解析用コンピュータ３２は、メインメモリに格納されている第１組（ｎ＝１）の画像と、同じくメインメモリに格納されている第２組（ｎ＝２）の画像との差分画像を生成する（ステップＳ６）。生成した差分画像を、予め定めた閾値で２値化する（ステップＳ７）。こうして得られた２値化画像より、水漏れの有無を判定する（ステップＳ８）。つまり、直近の過去に取得した画像と現在取得した画像との差分画像に基づいて、内側底面１８ｐに欠陥（水漏れ）が生じているかどうかを判定する。水漏れありとの判定を下す基準は、例えば、２値化画像の面積または寸法が予め定めた所定値を上回ることである。
【００３１】
ステップＳ８において、水漏れありと判定した場合には、水漏れが発生している通気部材１８を特定するために、１つ１つの通気部材１８に予め付与された番号をＮＧ番号としてモニタ３４に表示出力する（ステップＳ１０）。さらに、ステップＳ９において、規定の判定回数に達したかどうかを確かめ、達していない場合にはステップＳ３からの処理を繰り返し行う。判定回数は、例えば１０回程度に設定することができる。判定回数に代えて、所定の検査時間が経過したかどうかを検査終了の条件としてもよい。
【００３２】
検査の最中、水圧が加わることで通気膜２２の形状や輝度が徐々に変化する場合がある。このような変形は水漏れが発生していない場合にも起こる可能性があり、このような変形を誤ってＮＧと判定しないようにする工夫が必要である。図８のフローチャートに示す本実施形態によれば、時系列で取得した第ｎ組の画像と第（ｎ＋１）組の画像との差分画像を生成し、生成した差分画像を適切な閾値で２値化することによって得た２値化画像を用いて、水漏れの有無を判定する。
【００３３】
以上のように、決められた時間ごとに連続して（時系列で）画像を取得し、これらの画像間の違いを見出す。このような手法を採用すると、通気膜２２の変形が判定結果に影響をほとんど及ぼさず、誤判定の発生確率を相当低くできる。また、差分画像を時系列で生成するので、突発的に水漏れが発生した場合にも、これを見逃さずに、直ちにＮＧ判定を下すことができる。
【００３４】
また、図９に示すように、撮像対象が複雑な形状を有していたとしても、過去の画像４０と現在の画像４１との差分画像を生成し、その差分画像の２値化を行うことで、簡単に欠陥４２（水漏れ）を抽出することが可能となる。
【００３５】
以上のようにして、検査治具１６に装着した通気部材１８の通気膜２２に外部から水を接触させた状態でカメラ１２による撮像を行い、内側底面１８ｐに水漏れが生じるかどうかを判定する。
【００３６】
なお、本実施形態では、検査の開始から終了まで通気膜２２にかける水圧を一定としているが、チャンバ１６ｈへの注水量を徐々に増加したりすることによって、通気膜２２にかかる水圧が経時変化する（具体的には徐々に高くなる）ようにしてもよい。また、本実施形態では、判定回数が規定回数に達するまでは水漏れ判定を繰り返し行うようにしているが、水漏れを検出した時点で検査を停止するようにしてもよい。具体的には、図８のフローチャートに示す検査プログラムの実行を停止し、検査治具１６のチャンバ１６ｈ内の水を排水する。そのようにすれば、周囲に水が溢れ出し、不具合のない製品や装置に水がかかったり、作業スペースが水で濡れたりすることを防止できる。
【００３７】
また、水圧をかけている期間における通気膜２２自身の変化が判定結果に及ぼす影響をさらに小さくするために、下記（１）（２）のような工夫を講ずることができる。
（１）水圧をかけ始めた後に、予め定めた待機時間が経過することを条件として、図８のフローチャートのステップＳ２からの処理を開始する。
（２）水圧をかけ始めた時点から一定時間が経過するまでの初期段階では画像取得の時間間隔を短くし、上記一定時間が経過した後は画像取得の時間間隔を長くする。
【００３８】
また、より高精度な検査を行うためには、撮像するべき通気部材１８の内部に影が生じないように照明することが望ましい。例えば、図１２に示すごとく、ハーフミラー２４を用いた同軸落射照明によれば、そうした影が通気部材１８の内部に生じないので、本発明の方法に好適である。
【００３９】
また、内側底面１８ｐと併せて本体２０の内周面をカメラ１２で撮像し、取得した画像を処理することにより、本体２０に損傷等が生じていないかどうかを検査するようにしてもよい。
【００４０】
本実施形態の検査方法を通気部材１８の製造工程に適用する場合には、通気部材１８を製造する工程をまず行う。次に、通気部材１８を検査対象となる筒状部品として、本実施形態の方法によって水漏れ検査を行う（検査工程）。そして、その検査工程の結果に基づいて、通気部材１８を良品と不良品とに選別する（選別工程）。
【００４１】
良品として選別された通気部材１８には、図２Ｂに示す通気部材１８Ｂのように、通気膜２２を保護するカバー２１を取り付ける工程をさらに実施することができる。カバー２１は、検査工程で水漏れが認められず、良品として選別された通気部材１８にのみ取り付けられる。図２Ｂの通気部材１８Ｂからみると、図２Ａの通気部材１８は中間製品なので、その中間製品の時点で良否を判定することにより、カバー２１が無駄にならずに済む。
【産業上の利用可能性】
【００４２】
本発明にかかる検査方法は、通気部材以外の筒状部品、例えば、食品を詰めるカップや缶の検査にも好適に採用できる。また、筒状部品が円筒形である必要はなく、横断面が方形や三角形の筒状部品であってもよい。
【図面の簡単な説明】
【００４３】
【図１】本発明にかかる検査方法の概要を示す模式図
【図２Ａ】検査対象である通気部材の断面図
【図２Ｂ】通気部材の他の例の断面図
【図３】検査治具への通気部材の装着状態を示す断面模式図
【図４】レンズの画角と死角との関係を示す模式図
【図５Ａ】通気部材の配置とカメラの視野との関係を示す模式図
【図５Ｂ】通気部材の配置とカメラの視野との関係を示す平面模式図
【図６Ａ】カメラとレンズの位置関係を示す模式図
【図６Ｂ】図６Ａに続く模式図
【図７】検査装置のブロック図
【図８】検査プログラムのフローチャート
【図９】ＮＧ判定となる画像例
【図１０】光源の好適な配置を示す模式図
【図１１】筒状部品の従来の検査方法を示す模式図
【図１２】筒状部品の従来の他の検査方法を示す模式図
【符号の説明】
【００４４】
１２  カメラ
１４  レンズ
１６  検査治具
１８  通気部材（筒状部品）
１８ｐ  内側底面
１８ｒ  開口端
２０  本体
２２  通気膜
【図１】
2008008868.tif 000003
【図２Ａ】
2008008868.tif 000004
【図２Ｂ】
2008008868.tif 000005
【図３】
2008008868.tif 000006
【図４】
2008008868.tif 000007
【図５Ａ】
2008008868.tif 000008
【図５Ｂ】
2008008868.tif 000009
【図６Ａ】
2008008868.tif 000010
【図６Ｂ】
2008008868.tif 000011
【図７】
2008008868.tif 000012
【図８】
2008008868.tif 000013
【図９】
2008008868.tif 000014
【図１０】
2008008868.tif 000015
【図１１】
2008008868.tif 000016
【図１２】
2008008868.tif 000017